【手続補正書】
【提出日】平成18年2月20日(2006.2.20)
【手続補正１】
【補正対象書類名】特許請求の範囲
【補正対象項目名】全文
【補正方法】変更
【補正の内容】
【特許請求の範囲】
【請求項１】
無線通信システムにおいて複数の伝送チャンネルによりデータを送信する方法において、
通信システムの動作状態を決定し、
決定された動作状態に基づいて複数の可能なパワー割当て送信方式の中から選択された特定のパワー割当て送信方式を識別し、
選択された送信方式に基づいて送信されるべき１以上のデータ流を決定し、
選択された送信方式に基づいて１以上のデータ流を処理するステップを含んでおり、動作状態は信号対雑音情報（ＳＮＲ）によって定量化される方法。
【請求項２】
特定の送信方式は、複数の可能な送信方式のそれぞれの性能を評価することにより選択される請求項１記載の方法。
【請求項３】
選択された送信方式は、動作中の信号対雑音および妨害比（ＳＮＲ）に基づいて選択される請求項１記載の方法。
【請求項４】
１以上のデータ流は、チャンネル状態情報に基づいてさらに処理される請求項１記載の方法。
【請求項５】
複数の送信方式は、部分的チャンネル状態情報（ＣＳＩ）送信方式を含んでいる請求項４記載の方法。
【請求項６】
部分的ＣＳＩ送信方式に対するチャンネル状態情報は、信号対雑音および妨害比を含んでいる請求項５記載の方法。
【請求項７】
複数の送信方式は、ビーム形成送信方式を含んでいる請求項４記載の方法。
【請求項８】
単一の伝送チャンネルが選択されてビーム形成送信方式に使用され、ビーム形成は単一の選択された伝送チャンネルでデータを送信するために使用される請求項７記載の方法。
【請求項９】
ビーム形成送信方式に対するチャンネル状態情報は、信号対雑音および妨害比（ＳＮＲ）と、単一の選択された伝送チャンネルに対する特異ベクトルとを含んでいる請求項７記載の方法。
【請求項１０】
特異ベクトルの各要素は、ディメンション当り５以下のビットに量子化される請求項９記載の方法。
【請求項１１】
複数の送信方式は、ビーム操縦送信方式を含んでいる請求項４記載の方法。
【請求項１２】
ビーム操縦送信方式に対するチャンネル状態情報は、信号対雑音および妨害比（ＳＮＲ）と、データ送信に使用された複数の送信アンテナに対する位相値のベクトルとを含んでいる請求項１１記載の方法。
【請求項１３】
位相値のベクトルは、主要固有モードに対する特異ベクトルに基づいている請求項１２記載の方法。
【請求項１４】
各データ流に対するレートを、そのデータ流に対して達成可能な信号対雑音および妨害比（ＳＮＲ）に基づいて選択するステップをさらに含んでいる請求項１記載の方法。
【請求項１５】
無線通信システムは多重入力多重出力（ＭＩＭＯ）通信システムであり、複数の伝送チャンネルはＭＩＭＯ通信システムの複数の空間サブチャンネルに対応している請求項１記載の方法。
【請求項１６】
無線通信システムは広帯域多重入力多重出力（ＭＩＭＯ）通信システムであり、複数の伝送チャンネルは複数の周波数帯域の複数の空間サブチャンネルに対応している請求項１記載の方法。
【請求項１７】
全ての周波数帯域に対して使用されるために１つの送信方式が選択され、この選択された送信方式に基づいて１以上のデータ流が各周波数帯域で送信されて処理される請求項１６記載の方法。
【請求項１８】
各周波数帯域に対して使用されるために１つの送信方式が選択され、その周波数帯域に対して選択された送信方式に基づいて１以上のデータ流が各周波数帯域で送信されて処理される請求項１６記載の方法。
【請求項１９】
複数の周波数帯域のそれぞれに対して使用されるためにビーム形成送信方式が選択される請求項１６記載の方法。
【請求項２０】
全送信パワーは、複数の周波数帯域で送信される全てのデータ流に対して共通の符号化および変調方式が使用されるように割当てられる請求項１９記載の方法。
【請求項２１】
複数の周波数帯域のそれぞれに対して使用されるために部分的ＣＳＩ送信方式が選択される請求項１６記載の方法。
【請求項２２】
全送信パワーは、各周波数帯域で送信される全てのデータ流に対して共通の符号化および変調方式が使用されるように割当てられる請求項２１記載の方法。
【請求項２３】
全送信パワーは、各空間サブチャンネルで送信される全てのデータ流に対して共通の符号化および変調方式が使用されるように割当てられる請求項２１記載の方法。
【請求項２４】
無線通信システムは直交周波数分割多重化（ＯＦＤＭ）通信システムであり、複数の伝送チャンネルは複数の周波数サブチャンネルに対応している請求項１記載の方法。
【請求項２５】
多重入力多重出力（ＭＩＭＯ）通信システムにおいて複数の空間サブチャンネルでデータを送信する方法において、
ＭＩＭＯシステムの動作信号対雑音および妨害比（ＳＮＲ）を決定し、
動作ＳＮＲに基づいて複数の可能なパワー割当て送信方式の中から選択された特定のパワー割当て送信方式を識別し、複数の送信方式はそれぞれ動作ＳＮＲの各範囲に対して使用を指定されており、
選択された送信方式に基づいて送信されるべき１以上のデータ流を決定し、
選択された送信方式に基づいて１以上のデータ流を処理するステップを含んでおり、
複数の送信方式は部分的ＣＳＩ送信方式およびビーム形成送信方式を含んでおり、動作ＳＮＲがしきい値ＳＮＲより上である場合には部分的ＣＳＩ送信方式が選択されて使用され、動作ＳＮＲがしきい値ＳＮＲより下である場合にはビーム形成送信方式が選択されて使用される方法。
【請求項２６】
通信システムの動作状態を決定する手段と、
決定された動作状態に基づいて複数の可能なパワー割当て送信方式の中から選択された特定のパワー割当て送信方式を識別する手段と、
選択された送信方式に基づいて送信されるべき１以上のデータ流を決定する手段と、
選択された送信方式に基づいて１以上のデータ流を処理する手段とを具備しており、
特定の送信方式は通信システムの動作中の信号対雑音および妨害比（ＳＮＲ）に基づいて選択され、複数の送信方式はそれぞれ動作ＳＮＲの各範囲に対して使用を指定されている無線通信システムにおける装置。
【請求項２７】
無線通信システムは多重入力多重出力（ＭＩＭＯ）通信システムであり、複数の伝送チャンネルはＭＩＭＯ通信システムの複数の空間サブチャンネルに対応している請求項２６記載の装置。
【請求項２８】
各データ流に対するレートを、そのデータ流によって達成可能な信号対雑音および妨害比（ＳＮＲ）に基づいて選択する手段をさらに備えている請求項２６記載の装置。
【請求項２９】
複数の送信方式は部分的ＣＳＩ送信方式およびビーム形成送信方式を含んでおり、動作ＳＮＲがしきい値ＳＮＲより上である場合には部分的ＣＳＩ送信方式が選択されて使用され、動作ＳＮＲがしきい値ＳＮＲより下である場合にはビーム形成送信方式が選択されて使用される請求項２６記載の装置。
【請求項３０】
通信システムの動作状態の表示を受信し、
その動作状態に基づいて複数の可能なパワー割当て送信方式の中から選択された特定のパワー割当て送信方式を識別し、
選択された送信方式に基づいて送信されるべき１以上のデータ流を決定し、
各データ流のレートをそのデータ流に割当てられた送信パワーの量に部分的に基づいて選択し、
選択された送信方式に基づいて１以上のデータ流の処理を指令することによって、複数の伝送チャンネルによるデータ送信を指令するように動作する制御装置と、
各データ流をその選択されたレートに基づいて処理して各シンボル流を提供するように動作する送信（ＴＸ）データプロセッサと、
１以上のシンボル流を処理して通信チャンネルによる送信に適した１以上の変調された信号を提供するように動作する１以上の送信機とを備えている無線通信システムにおける送信装置。
【請求項３１】
制御装置はさらに、部分的ＣＳＩ送信方式に対する各データ流に対してピーク送信パワーを使用し、ビーム形成送信方式に対する単一のデータ流に対して全ての送信パワーを割当てるように動作する請求項３０記載の送信装置。
【請求項３２】
さらに、ビーム形成送信方式に対する特異ベクトルに基づいて単一のデータ流に対するシンボル流を予備調整するように動作するＴＸ  ＭＩＭＯプロセッサを備えている請求項３０記載の送信装置。
【請求項３３】
請求項３０記載の送信装置を備えている基地局。
【請求項３４】
複数の送信方式は部分的ＣＳＩ送信方式およびビーム形成送信方式を含んでおり、制御装置は、通信システムの動作信号対雑音および妨害比（ＳＮＲ）がしきい値ＳＮＲより上である場合には部分的ＣＳＩ送信方式を選択するように動作し、動作ＳＮＲがしきい値ＳＮＲより下である場合にはビーム形成送信方式を選択するように動作する請求項４２記載の送信装置。
【請求項３５】
特定の受信機処理方式にしたがって受信された複数のシンボル流を受信して処理し、少なくとも１つの再生されたシンボル流を提供すると共に、再生されたシンボル流のそれぞれに対するチャンネル状態情報（ＣＳＩ）を導出するように動作する受信（ＲＸ）ＭＩＭＯプロセッサと、
少なくとも１つの再生されたシンボル流を少なくとも１つの復調および復号方式にしたがって処理して復号されたデータを提供するように動作するＲＸデータプロセッサと、
ＣＳＩを処理して送信されたものを送信装置に返送するように動作するＴＸデータプロセッサとを備えており、
特定のパワー割当て送信方式がＣＳＩに基づいて複数の可能なパワー割当て送信方式の中から選択され、選択されたパワー割当て送信方式に基づいて１以上のデータ流が受信装置に送信され、選択されたパワー割当て送信方式に基づいて利用可能な全送信パワーが１以上のデータ流に割当てられ、複数の送信方式は部分的ＣＳＩ送信方式およびビーム形成送信方式を含んでおり、動作信号対雑音および妨害比（ＳＮＲ）がしきい値ＳＮＲより上である場合には部分的ＣＳＩ送信方式が選択され、動作ＳＮＲがしきい値ＳＮＲより下である場合にはビーム形成送信方式が選択される無線通信システムにおける受信装置。
【請求項３６】
ビーム形成送信方式に対して、ＲＸ  ＭＩＭＯプロセッサはさらに、特異ベクトルにより複数の受信されたシンボル流を予備調整して単一の再生されたシンボル流を提供するように動作する請求項３５記載の受信装置。
【請求項３７】
部分的ＣＳＩ送信方式に対して、ＲＸ  ＭＩＭＯプロセッサはさらに、複数の受信されたシンボル流を、連続した消去を伴なう最小２乗平均エラー（ＭＭＳＥ−ＳＣ）受信機処理技術に基づいて処理し、複数の再生されたシンボル流を提供するように動作する請求項３５記載の受信装置。